(57)【要約】      （修正有）【課題】外観の見栄えがよく、ユーザが左イヤホンおよび右イヤホンを対応する第１収容溝および第２収容溝にセットすることを容易にし、使用体験を向上させることができるイヤホンボックスおよびイヤホンセットを提供する。【解決手段】左イヤホンをセットするための第１収容溝および右イヤホンをセットするための第２収容溝が設けられたボックス本体１と、ボックス本体を覆い塞ぐボックス蓋２と、を含むイヤホンボックスであって、ボックス本体の外面が色が異なる第１コーティング層および第２コーティング層に並んで包まれる、および／またはボックス蓋の外面が第１コーティング層および第２コーティング層に並んで包まれており、第１コーティング層は、第１収容溝に正確に対応し、第２コーティング層は、第２収容溝に正確に対応する。第１、第２コーティング層により、第１収容溝および第２収容溝を素早く区別できる。【選択図】図１
0003235168.tif 000002
【実用新案登録請求の範囲】
【請求項１】
左イヤホン（５）をセットするための第１収容溝（１１）および右イヤホン（６）をセットするための第２収容溝（１２）が設けられたボックス本体（１）と、
前記ボックス本体（１）を覆い塞ぐボックス蓋（２）と、を含むイヤホンボックスであって、
前記ボックス本体（１）の外面が色が異なる第１コーティング層および第２コーティング層に並んで包まれる、および／または前記ボックス蓋（２）の外面が前記第１コーティング層および前記第２コーティング層に並んで包まれており、
前記第１コーティング層は、前記第１収容溝（１１）に正確に対応し、前記第２コーティング層は、前記第２収容溝（１２）に正確に対応する、ことを特徴とするイヤホンボックス。
【請求項２】
前記ボックス本体（１）の外面の左半分および前記ボックス蓋（２）の外面の左半分が前記第１コーティング層に包まれ、前記ボックス本体（１）の外面の右半分および前記ボックス蓋（２）の外面の右半分が前記第２コーティング層に包まれている、ことを特徴する請求項１に記載のイヤホンボックス。
【請求項３】
前記ボックス蓋（２）および前記ボックス本体（１）のハウジング形状が半楕円のケース状であり、
前記ボックス蓋（２）が前記ボックス本体（１）を覆い塞いだ場合、楕円体構造に結合される、ことを特徴とする請求項１に記載のイヤホンボックス。
【請求項４】
前記ボックス蓋（２）は、回転軸によって前記ボックス本体（１）に回転可能に連結されている、ことを特徴とする請求項１に記載のイヤホンボックス。
【請求項５】
前記ボックス本体（１）の外壁には、前記ボックス本体（１）の前記ボックス蓋（２）に向いた一方側の側壁を貫通する開閉ノッチ（１３）が設けられている、ことを特徴とする請求項４に記載のイヤホンボックス。
【請求項６】
前記ボックス本体（１）の前記開閉ノッチ（１３）の位置にはロッキング磁性ブロックが設けられ、前記ボックス蓋（２）には前記ロッキング磁性ブロックに吸着可能な金属材が設けられている、ことを特徴とする請求項５に記載のイヤホンボックス。
【請求項７】
前記ボックス本体（１）には、前記第１収容溝（１１）と前記第２収容溝（１２）を区別するための第１マークおよび第２マークがさらに設けられており、
前記第１マークは、前記第１収容溝（１１）側に位置し、
前記第２マークは、前記第２収容溝（１２）側に位置する、ことを特徴とする請求項１に記載のイヤホンボックス。
【請求項８】
前記ボックス蓋（２）の内壁には第１位置制限溝（２１）および第２位置制限溝（２２）が設けられており、
前記ボックス蓋（２）が前記ボックス本体（１）を覆い塞いだ場合、前記第１位置制限溝（２１）の内壁が位置制限可能に前記左イヤホン（５）の外壁に突き当り、前記第２位置制限溝（２２）の内壁が位置制限可能に前記右イヤホン（６）の外壁に突き当たる、ことを特徴とする請求項１に記載のイヤホンボックス。
【請求項９】
請求項１〜８のいずれか一項に記載のイヤホンボックスを含むイヤホンセットであって、
外面が前記第１コーティング層に包まれた左イヤホン（５）と、
外面が前記第２コーティング層に包まれた右イヤホン（６）と、をさらに含む、ことを特徴とするイヤホンセット。
【請求項１０】
前記第１収容溝（１１）および前記第２収容溝（１２）にはそれぞれ第１磁性材（７）が設けられ、前記左イヤホン（５）および前記右イヤホン（６）にはそれぞれ第２磁性材（８）が設けられており、
前記左イヤホン（５）における前記第２磁性材（８）は、前記第１収容溝（１１）における前記第１磁性材（７）に吸着可能であり、前記右イヤホン（６）における前記第２磁性材（８）は、前記第２収容溝（１２）における前記第１磁性材（７）に吸着可能である、請求項９に記載のイヤホンセット。
【考案の詳細な説明】
【技術分野】
【０００１】
本考案は、イヤホンの技術分野に関し、特にイヤホンボックスおよびイヤホンセットに関する。
【背景技術】
【０００２】
無線イヤホンは、体積が小さく、携帯しやすいため、幅広いユーザに人気がある。イヤホンボックスは、無線イヤホンをロードして収容するために用いられ、一部のイヤホンボックスは、無線充電の機能も備えている。イヤホンボックスは、主に集積化、携帯化、美観化の方向へ発展している。
【０００３】
従来のダブルイヤホンのイヤホンボックスは、主に左右無線イヤホンをロードするために用いられる。しかしながら、このようなイヤホンボックスは、構造がシンプルであり、ボックス本体内に左イヤホンを収容するための第１収容溝、および右イヤホンを収容するための第２収容溝が設けられているだけで、イヤホンボックスには他の付加的な構造が設けられていない。その問題点は、ユーザがイヤホンをイヤホンボックスにセットする際に第１収容溝および第２収容溝を直接区別しにくく、ユーザが左右イヤホンを区別してセットすることに対して一定の困難をもたらし、使用が不便で、使用体験の向上に不利なことにある。また、このようなイヤホンボックスは、見栄えも十分ではない。
【０００４】
そのため、外観の見栄えがよく、ユーザが第１収容溝および第２収容溝を素早く区別できるようにし、消費者が左イヤホンおよび右イヤホンを対応する第１収容溝および第２収容溝にセットすることを容易にし、使用体験を向上させることができるイヤホンボックスおよびイヤホンセットを提供することが急務となっている。
【考案の概要】
【考案が解決しようとする課題】
【０００５】
本考案の１つの目的は、外観の見栄えがよく、ユーザが第１収容溝および第２収容溝を素早く区別できるようにし、消費者が左イヤホンおよび右イヤホンを対応する第１収容溝および第２収容溝にセットすることを容易にし、使用体験を向上させることができるイヤホンボックスを提供することにある。
【課題を解決するための手段】
【０００６】
その目的を達成するために、本考案は、以下の技術手段を採用する。
【０００７】
左イヤホンをセットするための第１収容溝および右イヤホンをセットするための第２収容溝が設けられたボックス本体と、
前記ボックス本体を覆い塞ぐボックス蓋と、を含むイヤホンボックスであって、
前記ボックス本体の外面が色が異なる第１コーティング層および第２コーティング層に並んで包まれる、および／または前記ボックス蓋の外面が前記第１コーティング層および前記第２コーティング層に並んで包まれており、前記第１コーティング層は、前記第１収容溝に正確に対応し、前記第２コーティング層は、前記第２収容溝に正確に対応する。
【０００８】
好ましくは、前記ボックス本体の外面の左半分および前記ボックス蓋の外面の左半分が前記第１コーティング層に包まれ、前記ボックス本体の外面の右半分および前記ボックス蓋の外面の右半分が前記第２コーティング層に包まれている。
【０００９】
好ましくは、前記ボックス蓋および前記ボックス本体のハウジング形状が半楕円のケース状であり、前記ボックス蓋が前記ボックス本体を覆い塞いだ場合、楕円体構造に結合される。
【００１０】
好ましくは、前記ボックス蓋は、回転軸によって前記ボックス本体に回転可能に連結されている。
【００１１】
好ましくは、前記ボックス本体の外壁には、前記ボックス本体の前記ボックス蓋に向いた一方側の側壁を貫通する開閉ノッチが設けられている。
【００１２】
好ましくは、前記ボックス本体の前記開閉ノッチの位置にはロッキング磁性ブロックが設けられ、前記ボックス蓋には前記ロッキング磁性ブロックに吸着可能な金属材が設けられている。
【００１３】
好ましくは、前記ボックス本体には、前記第１収容溝と前記第２収容溝を区別するための第１マークおよび第２マークがさらに設けられており、前記第１マークは、前記第１収容溝側に位置し、前記第２マークは、前記第２収容溝側に位置する。
【００１４】
好ましくは、前記ボックス蓋の内壁には第１位置制限溝および第２位置制限溝が設けられており、前記ボックス蓋が前記ボックス本体を覆い塞いだ場合、前記第１位置制限溝の内壁が位置制限可能に前記左イヤホンの外壁に突き当り、前記第２位置制限溝の内壁が位置制限可能に前記右イヤホンの外壁に突き当たる。
【００１５】
本考案の他の目的は、外観の見栄えがよく、ユーザが第１収容溝および第２収容溝を素早く区別できるようにし、左イヤホンおよび右イヤホンを対応する第１収容溝および第２収容溝にセットすることを容易にし、使用体験を向上させることができるイヤホンセットを提供することにある。
【００１６】
その目的を達成するために、本考案は、以下の技術手段を採用する。
【００１７】
上述したようなイヤホンボックスを含むイヤホンセットであって、外面が前記第１コーティング層に包まれた左イヤホンと、外面が前記第２コーティング層に包まれた右イヤホンと、をさらに含む。
【００１８】
好ましくは、前記第１収容溝および前記第２収容溝にはそれぞれ第１磁性材が設けられ、前記左イヤホンおよび前記右イヤホンにはそれぞれ第２磁性材が設けられており、前記左イヤホンにおける前記第２磁性材は、前記第１収容溝における前記第１磁性材に吸着可能であり、前記右イヤホンにおける前記第２磁性材は、前記第２収容溝における前記第１磁性材に吸着可能である。
【考案の効果】
【００１９】
本考案の有益な効果は以下の通りである。
【００２０】
従来のイヤホンボックスと比べ、本考案に係るイヤホンボックスは、第１コーティング層および第２コーティング層が増設されることで、外観の見栄えを向上させるとともに、第１コーティング層が第１収容溝に正確に対応し、第２コーティング層が第２収容溝に正確に対応するため、ユーザが第１収容溝および第２収容溝を素早く区別できるようにし、ユーザが左イヤホンおよび右イヤホンを対応する第１収容溝および第２収容溝にセットすることを容易にし、使用体験を向上させることができる。
【図面の簡単な説明】
【００２１】
【図１】本考案に係るイヤホンボックスの構造模式図である。
【図２】本考案に係るイヤホンボックスを分解した場合の構造模式図である。
【図３】本考案に係るボックス本体に左イヤホンおよび右イヤホンをセットした場合の模式図である。
【図４】本考案に係るイヤホンセットにおける左イヤホンおよび右イヤホンの模式図である。
【考案を実施するための形態】
【００２２】
以下、本考案の解決しようとする技術的問題、採用する技術手段および達成する技術効果をより明確にするために、図面に結び付けて具体的な実施形態により本考案の技術手段をさらに説明する。
【００２３】
本考案の説明において、別途明確な規定と限定がない限り、「繋がる」、「連結」、「固定」という用語は、広義に理解されるべきである。例えば、固定連結であってもよく、取り外し可能な連結であってもよく、もしくは一体になってもよく、機械的連結であってもよく、電気的接続であってもよく、直接繋がってもよく、中間媒体を介して間接的に繋がってもよく、２つの素子の内部の連通又は２つの素子の相互作用の関係であってもよい。当業者であれば、本発明における上記用語の具体的な意味は、具体的な状況に応じて理解できる。
【００２４】
本考案において、別途明確な規定と限定がない限り、第１特徴が第２特徴の「上」又は「下」にあることは、第１特徴と第２特徴とが直接接触することを含んでもよく、第１特徴と第２特徴とが直接接触せず、それらの間に他の特徴を介して接触することを含んでもよい。さらに、第１特徴が第２特徴の「上」、「上方」及び「上面」にあることは、第１特徴が第２特徴の真上及び斜め上にあることを含むか、或いは単に第１特徴の水平高さが第２特徴よりも高いことを示す。第１特徴が第２特徴の「下」、「下方」及び「下面」にあることは、第１特徴が第２特徴の真下及び斜め下にあることを含むか、或いは単に第１特徴の水平高さが第２特徴よりも低いことを示す。
【００２５】
本実施例の説明において、用語「上」、「下」、「左」、「右」などの方位又は位置関係は、図面に示す方位又は位置関係に基づくものであり、説明を容易にし、操作を簡略化するためのものにすぎず、言及した装置又は素子は、特定の方位を有し、特定の方位から構成し操作しなければならないことを指示又は暗示するものではなく、したがって、本発明を限定するものと理解してはならない。また、用語「第１」「第２」は、説明上で区分するために使用されるものに過ぎず、特別な意味を含まない。
【００２６】
図１〜４に示すように、本実施例は、イヤホンボックスおよびイヤホンセットを提供する。イヤホンセットは、本実施例に係る左イヤホン５および右イヤホン６が収容されたイヤホンボックスを含む。ただし、イヤホンボックスは、ボックス本体１およびボックス蓋２を含む。ボックス本体１には左イヤホン５をセットするための第１収容溝１１および右イヤホン６をセットするための第２収容溝１２が設けられている。ボックス蓋２がボックス本体１を覆い塞ぐ。ボックス本体１の外面が色が異なる第１コーティング層および第２コーティング層に並んで包まれる、および／またはボックス蓋２の外面が第１コーティング層および第２コーティング層（図示せず）に並んで包まれており、第１コーティング層は第１収容溝１１に正確に対応し、第２コーティング層は第２収容溝１２に正確に対応する。具体的には、図１〜２に示すように、本実施例では、ボックス本体１の外面の左半分およびボックス蓋２の外面の左半分が第１コーティング層に包まれ、ボックス本体１の外面の右半分およびボックス蓋２の外面の右半分が第２コーティング層に包まれている。第１コーティング層と第２コーティング層との境界にコーティング層境界線３が形成されている。第１コーティング層および第２コーティング層の色分けの組合せは、赤・黒（第１コーティング層が赤色、第２コーティング層が黒色である）、黒・白、赤・白の２色組合せであってもよい。図中の矢印方向は、左右方向を示す。
【００２７】
従来のイヤホンボックスと比べ、本実施例に係るイヤホンボックスは、第１コーティング層および第２コーティング層が増設されることで、外観の見栄えを向上させるとともに、第１コーティング層が第１収容溝１１に正確に対応し、第２コーティング層が第２収容溝１２に正確に対応するため、ユーザが色に応じて第１収容溝１１および第２収容溝１２を素早く区別できるようにし、左イヤホン５および右イヤホン６を対応する第１収容溝１１および第２収容溝１２にセットすることを容易にし、使用体験を向上させることができる。
【００２８】
さらに、図２〜４に示すように、本実施例が提供するイヤホンセットにおける左イヤホン５の外面が第１コーティング層に包まれ、右イヤホン６の外面が第２コーティング層に包まれている。そのため、ユーザが左イヤホン５および右イヤホン６を取り出した後、そのまま第１コーティング層および第２コーティング層の色の違いに応じ、どちらが左イヤホン５で、どちらが右イヤホン６であるかを素早く直接的に判別することができ、装着し、或いは左イヤホン５および右イヤホン６を第１収容溝１１および第２収容溝１２にセットすることが容易であるとともに、外観の見栄えがよい。
【００２９】
また、ボックス本体１には第１収容溝１１および第２収容溝１２を区別するための第１マークおよび第２マーク（図示せず）がさらに設けられている。第１マークが「Ｌ」、第２マークが「Ｒ」であってもよい。第１マークは第１収容溝１１側に位置し、第２マークは第２収容溝１２側に位置する。他の実施例において、イヤホンボックスの見栄えを向上させるために、第１マークおよび第２マークが設けられなくてもよい。第１マークおよび第２マークを設けることによってユーザが左イヤホン５を収容するための第１収容溝１１および右イヤホン６を収容するための第２収容溝１２をより区別しやすくすることができる。
【００３０】
さらに、図１に示すように、本実施例では、ボックス蓋２およびボックス本体１のハウジング形状は、半楕円のケース状である。ボックス蓋がボックス本体１を覆い塞いだ場合、楕円体構造に結合される。楕円体構造は、滑らかな曲面の表面を有し、シャープなエッジがないことで、ユーザに対して快適な把持感を提供することができる。
【００３１】
さらに、図１〜２に示すように、ボックス蓋２は、回転軸（図示せず）によってボックス本体１に回転可能に連結されている。フリップカバー式のデザイン構造が採用されているため、コストが低く、ボックス蓋２がボックス本体１に連結されて紛失しにくい。
【００３２】
また、図１〜３に示すように、本実施例では、ボックス本体１の外壁には、ボックス本体１のボックス蓋２に向いた一方側の側壁を貫通する開閉ノッチ１３が設けられている。開閉ノッチ１３は、ボックス蓋２のボックス本体１に向いたエッジを露出させることで、ユーザのボックス蓋２に対する開閉操作を容易にすることができる。
【００３３】
さらに、ボックス本体１の開閉ノッチ１３の位置にはロッキング磁性ブロック（図示せず）が設けられている。ボックス蓋２にはロッキング磁性ブロックに吸着可能な金属材（図示せず）が設けられており、ボックス蓋２がボックス本体１を覆い塞いだ場合、金属材がロッキング磁性ブロックに吸着されることで、ボックス蓋２の覆い塞ぎをより安定させる。
【００３４】
さらに、図２に示すように、ボックス蓋２の内壁には第１位置制限溝２１および第２位置制限溝２２が設けられている。ボックス蓋２がボックス本体１を覆い塞いだ場合、第１位置制限溝２１の内壁が位置制限可能に左イヤホン５の外壁に突き当たり、第２位置制限溝２２の内壁が位置制限可能に右イヤホン６の外壁に突き当たる。そのため、ボックス蓋２が覆い塞いだ場合、左イヤホン５および右イヤホン６が安定してイヤホンボックス内にセットされるように、第１位置制限溝２１および第２位置制限溝２２の内壁がそれぞれ位置制限可能に左イヤホン５および右イヤホン６に突き当たる。
【００３５】
さらに、図２〜４に示すように、本実施例では、第１収容溝１１および第２収容溝１２にはそれぞれ第１磁性材７が設けられ、左イヤホン５および右イヤホン６にはそれぞれ第２磁性材８が設けられている。左イヤホン５における第２磁性材８は、第１収容溝１１における第１磁性材７に吸着可能であり、右イヤホン６における第２磁性材８は、第２収容溝１２における第１磁性材７に吸着可能である。第１磁性材７および第２磁性材８は、磁性が逆で互いに吸着可能な磁気体であってもよいし、又は一方が磁気体であり、他方が吸着されることが可能な金属ブロックであってもよい。そのため、左イヤホン５および右イヤホン６を、それぞれ安定して対応する第１収容溝１１および第２収容溝１２にセットすることができる。その構造はシンプルで、コストが低く、壊れにくい。
【００３６】
上記内容は、本考案の好適な実施例に過ぎない。当業者にとっては、本考案の思想に基づき具体的な実施形態および適用範囲においていずれも変更できる箇所があり、本明細書の内容は、本考案を限定するためのものと理解されるべきではない。
【符号の説明】
【００３７】
１、ボックス本体
１１、第１収容溝
１２、第２収容溝
１３、開閉ノッチ
２、ボックス蓋
２１、第１位置制限溝
２２、第２位置制限溝
３、コーティング層境界線
５、左イヤホン
６、右イヤホン
７、第１磁性材
８、第２磁性材
【図１】
0003235168.tif 000003
【図２】
0003235168.tif 000004
【図３】
0003235168.tif 000005
【図４】
0003235168.tif 000006